(57)【要約】      （修正有）【課題】組立てが容易で作業性に優れるとともに、省資源化を促進することができる頸部固定仕切り用シート及び梱包ユニットの提供する。【解決手段】頸部固定仕切り用シート１１は、一枚の略方形状のシートからなり、左右方向に沿って中央に形成される切断線１４によって切り離されると共に、この切断線１４に連続して左右方向に沿って形成される左右一対の第一折り曲げ容易線１３ａ，１３ｂにより連結される前後一対の仕切板１２を備え、各仕切板１２が、切断線１４から前後方向に沿って形成される第二折り曲げ容易線１５によって、右領域１６と左領域１７とに区分され、一方の仕切板１２の左領域１７が、上記切断線から前後方向に沿って形成される第三折り曲げ容易線１８により最左端領域１７ｂと中央領域１７ａとに区分され、他方の仕切板の右領域１６が、上記切断線から前後方向に沿って形成される第四折り曲げ容易線２１により最右端領域１９ｂと中央領域１７ａとに区分けされる。【選択図】図２
0003188773.tif 000002
【実用新案登録請求の範囲】
【請求項１】
一枚の略方形状のシートからなり、梱包材内の容器の頸部に装着するよう組立可能な頸部固定仕切り用シートであって、
左右方向に沿って中央に形成される切断線によって切り離されるとともに、この切断線に連続して左右方向に沿って形成される左右一対の第一折り曲げ容易線によって連結される前後一対の仕切板を備え、
各仕切板が、切断線から前後方向に沿って形成される第二折り曲げ容易線によって、右領域と左領域とに区分され、
一方の仕切板の左領域が、上記切断線から前後方向に沿って形成される第三折り曲げ容易線によって最左端領域と中央領域とに区分され、
他方の仕切板の右領域が、上記切断線から前後方向に沿って形成される第四折り曲げ容易線によって最右端領域と中央領域とに区分けされていることを特徴とする頸部固定仕切り用シート。
【請求項２】
上記第二折り曲げ容易線が上記切断線の中心から形成され、上記第三折り曲げ容易線が上記切断線の左端から形成され、上記第四折り曲げ容易線が上記切断線の右端から形成される請求項１に記載の頸部固定仕切り用シート。
【請求項３】
上記一対の仕切板の中央領域及びこの一対の仕切板の中央領域の前後に位置する領域の外縁が、前後方向中央側に湾曲する円弧状部位を有する請求項１又は請求項２に記載の頸部固定仕切り用シート。
【請求項４】
上記円弧状部位が、上記一対の仕切板の中央領域及びこの一対の仕切板の中央領域の前後に位置する領域の外縁の左右方向全域に亘って形成されている請求項３に記載の頸部固定仕切り用シート。
【請求項５】
請求項１から請求項４のいずれか１項に記載の頸部固定仕切り用シートから組み立てられる頸部固定仕切りと、この頸部固定仕切りが収納される容器収容部を有する枠体とを備え、
上記頸部固定用仕切りの左右端が上記容器収容部の対向する隅部に掛止される梱包ユニット。
【考案の詳細な説明】
【技術分野】
【０００１】
本考案は、頸部固定仕切り用シート及び梱包ユニットに関する。
【背景技術】
【０００２】
従来、飲料や試薬等が入った瓶などの容器を運搬、保管等するために、段ボール等から組立てられる梱包箱が用いられている。また、このような梱包箱内に、容器の胴部の形状に対応した仕切りを配設した梱包ユニットも存在している。
【０００３】
このような梱包ユニットは、仕切りによって区画された領域に容器を収めることで、容器のがたつきを一定程度抑制することができる。
【０００４】
しかしながら、このような梱包ユニットは、容器の胴部の周囲を仕切りによって囲うことで、容器の左右方向のがたつきを抑制することができるものの、容器の傾きまで好適に抑制することはできない。
【０００５】
このような不都合を解決するため、今日では、例えば実開平６−４２６４３号公報所載の「瓶収納箱」のように、四方から瓶の頸部を包囲する格子体と、瓶の胴部が挿入される底パッド部材とを有する瓶収納箱が発案されている。この瓶収納箱によると、上記底パッド部材によって瓶の下部が固定されるとともに、上記格子体によって瓶の頸部が包囲されるため、瓶の上部及び下部の横揺れが共に防止され、その結果、瓶全体の揺動防止性が高められている。
【０００６】
しかしながら、上記格子体は、複数の仕切り板を格子状に組み合わせて形成されるものであるため、組立てに手間が掛かり作業性に劣るとともに、省資源化の要請にも反するという不都合を有する。
【先行技術文献】
【特許文献】
【０００７】
【特許文献１】実開平６−４２６４３号公報
【考案の概要】
【考案が解決しようとする課題】
【０００８】
本考案は、このような不都合に鑑みてなされたものであり、組立てが容易で作業性に優れるとともに、省資源化を促進することができる頸部固定仕切り用シート及び梱包ユニットの提供を目的とするものである。
【課題を解決するための手段】
【０００９】
上記課題を解決するためになされた本考案に係る頸部固定仕切り用シートは、一枚の略方形状のシートからなり、梱包材内の容器の頸部に装着するよう組立可能な頸部固定仕切り用シートであって、左右方向に沿って中央に形成される切断線によって切り離されるとともに、この切断線に連続して左右方向に沿って形成される左右一対の第一折り曲げ容易線によって連結される前後一対の仕切板を備え、各仕切板が、切断線から前後方向に沿って形成される第二折り曲げ容易線によって、右領域と左領域とに区分され、一方の仕切板の左領域が、上記切断線から前後方向に沿って形成される第三折り曲げ容易線によって最左端領域と中央領域とに区分され、他方の仕切板の右領域が、上記切断線から前後方向に沿って形成される第四折り曲げ容易線によって最右端領域と中央領域とに区分けされていることを特徴とする。
【００１０】
当該頸部固定仕切り用シートは、前後一対の仕切板が左右一対の第一折り曲げ容易線で折り返されて重ね合わされたうえ、第二折り曲げ容易線で山折りに折られ、第三折り曲げ容易線及び第四折り曲げ容易線で谷折りに折られることで、頸部固定仕切りに組立てられる。このように組立てられた頸部固定仕切りには、一対の仕切板の中央領域、一方の仕切板の右領域の左側部分及び他方の仕切板の左領域の右側部分によって、中央に上記第二折り曲げ容易線、第三折り曲げ容易線及び第四折り曲げ容易線を各側辺とする角筒状部が形成される。また、この頸部固定仕切りには、重ね合わされた一方の仕切板の最左端領域と他方の仕切板の左領域の左側部分とによって、上記角筒状部の一側辺から突出する一の突出部分が形成され、さらに重ね合わされた他方の仕切板の最右端領域と一方の仕切板の右領域の右側部分とによって、上記一の突出部分の突出する一側辺に対向する角筒状部の他側辺から突出する他の突出部分が形成される。つまりは、上述のように組立てられた頸部固定仕切りは、中央の角筒状部と、この角筒状部の対向する側辺から突出する一対の突出部分とを有する。このため、この頸部固定仕切りは、上記角筒状部内に容器の頸部を挿入することによって、梱包材内においてこの容器の頸部を固定することができる。また、当該頸部固定仕切り用シートは、一枚のシートからなるものであり、製造及び組立てが容易で作業性に優れるとともに、省資源化を促進することができる。なお、「山折り」とは、前後一対の仕切板が重ね合わされた状態において、折り曲げられた線が外側に突出される折り方をいい、「谷折り」とは、その逆の折り方をいう。
【００１１】
上記第二折り曲げ容易線が上記切断線の中心から形成され、上記第三折り曲げ容易線が上記切断線の左端から形成され、上記第四折り曲げ容易線が上記切断線の右端から形成されるとよい。これにより、上記角筒状部の開口を正四角形状に形成することができ、外部からの衝撃に対する緩衝機能を高めることができる。
【００１２】
上記一対の仕切板の中央領域及びこの一対の仕切板の中央領域の前後に位置する領域の外縁が、前後方向中央側に湾曲する円弧状部位を有するとよい。これにより、上記円弧状部位を容器の肩部に当接させることで、梱包材内の容器をさらに的確に固定することができる。
【００１３】
上記円弧状部位が、上記一対の仕切板の中央領域及びこの一対の仕切板の中央領域の前後に位置する領域の外縁の左右方向全域に亘って形成されているとよい。これにより、これらの円弧状部位を容器の肩部に好適に嵌合することができ、容器の上下方向及び左右方向の揺動をさらに的確に防止することができる。
【００１４】
また、上記課題を解決するためになされた本考案に係る梱包ユニットは、上記構成を有する当該頸部固定仕切り用シートから組み立てられる頸部固定仕切りと、この頸部固定仕切りが収納される容器収容部を有する枠体とを備え、上記頸部固定用仕切りの左右端が上記容器収容部の対向する隅部に掛止される。
【００１５】
当該梱包ユニットは、当該頸部固定仕切り用シートから組立てられる頸部固定仕切りが、中央の角筒状部と、この角筒状部の対向する側辺から突出する一対の突出部分とを有する。このため、当該梱包ユニットは、この頸部固定仕切りの上記角筒状部内に容器の頸部を挿入することによって、梱包材内においてこの容器の頸部を固定することができる。また、当該梱包ユニットは、当該頸部固定仕切り用シートが一枚のシートからなるものであるため、頸部固定仕切りの製造及び組立てが容易で作業性に優れるとともに、省資源化を促進することができる。
【００１６】
なお、本明細書において、「外縁」とは、各々の仕切板における一対の第一折り曲げ容易線及び切断線の反対側の側縁をいう。
【考案の効果】
【００１７】
以上説明したように、本考案の頸部固定仕切り用シート及び梱包ユニットは、組立てが容易で作業性に優れるとともに、省資源化を促進することができる
【図面の簡単な説明】
【００１８】
【図１】本考案の第一実施形態に係る梱包ユニットを示す模式図であって、（ａ）は平面断面図、（ｂ）は側面断面図である。
【図２】図１の梱包ユニットの頸部固定仕切りに用いられる頸部固定仕切り用シートを示す模式的平面図である。
【図３】図２の頸部固定仕切り用シートから組立てられる頸部固定仕切りを示す模式的斜視図である。
【図４】図１の梱包ユニットの枠体に用いられる枠体用シートを示す模式的平面図である。
【図５】図４の枠体用シートから組立てられる枠体を示す模式的断面図である。
【考案を実施するための形態】
【００１９】
以下、適宜図面を参照しつつ、本考案の実施の形態を詳説する。
【００２０】
［第一実施形態］
＜梱包ユニット＞
図１の梱包ユニットは、頸部固定仕切り用シートから組立てられる頸部固定仕切り１と、枠体用シートから組立てられる枠体２と、外箱用シートから組立てられる外箱３とを備える。当該梱包ユニットは、枠体２によって区画される複数の断面矩形状（本実施形態では特に断面正方形状）の容器収容部を有する。各容器収容部には瓶が収容される。容器収容部に収容される瓶は、円筒状の胴部と、この胴部の上端から徐々に縮径される湾曲部（以下、「肩部」ともいう。）と、この肩部の上端から上方に突出される頸部とを有する。また、この瓶の頸部には、断面略コ字状に突出される取っ手が配設されている。当該梱包ユニットにおいて、瓶は容器収容部の側面と当接されるように配設される。
【００２１】
頸部固定仕切り１は、瓶の頸部に装着される。頸部固定仕切り１は、瓶の頸部を包囲する角筒状部と、この角筒状部の対向する一対の側辺から突出される一対の突出部分とを有する。頸部固定仕切り１は、一対の突出部分が容器収容部の対向する隅部に掛止して配設される。
【００２２】
（頸部固定仕切り用シート）
図２の頸部固定仕切り用シート１１は、一枚の略方形状のシートからなり、梱包材内の容器の頸部に装着するよう組立可能に形成されている。頸部固定仕切り用シート１１は、前後一対の仕切板１２（１２ａ、１２ｂ）を備える。
【００２３】
一対の仕切板１２（１２ａ、１２ｂ）は、左右方向に沿って中央に形成される切断線１４によって切り離されるとともに、切断線１４に連続して左右方向に沿って形成される左右一対の第一折り曲げ容易線１３（１３ａ、１３ｂ）によって連結されている。一対の第一折り曲げ容易線１３（１３ａ、１３ｂ）と切断線１４とは一直線状に形成されている。一対の仕切板１２（１２ａ、１２ｂ）は、切断線１４から前後方向に沿って形成される第二折り曲げ容易線１５（１５ａ、１５ｂ）を有する。一対の仕切板１２（１２ａ、１２ｂ）は、切断線１４と第二折り曲げ容易線１５（１５ａ、１５ｂ）との交点を中心として、略点対称に形成されている。
【００２４】
仕切板１２ａは、第二折り曲げ容易線１５ａの右側が右領域１６とされ、第二折り曲げ容易線１５ａの左側が左領域１７とされている。左領域１７は、切断線１４から前後方向に沿って形成される第三折り曲げ容易線１８を有する。また、左領域１７は、第三折り曲げ容易線１８の右側が中央領域１７ａとされ、第三折り曲げ容易線１８の左側が最左端領域１７ｂとされている。
【００２５】
仕切板１２ｂは、第二折り曲げ容易線１５ｂの右側が右領域１９とされ、第二折り曲げ容易線１５ｂの左側が左領域２０とされている。右領域１９は、切断線１４から前後方向に沿って形成される第四折り曲げ容易線２１を有する。また、右領域１９は、第四折り曲げ容易線２１の左側が中央領域１９ａとされ、第四折り曲げ容易線２１の右側が最右端領域１９ｂとされている。
【００２６】
頸部固定仕切り用シート１１に用いられるシート材としては、当該頸部固定仕切り用シート１１から組立てられる頸部固定仕切り１の形状を維持できる程度の強度を有し、かつ適度な反発力を有している限り特に限定されず、例えば段ボールシート、厚紙等の紙製シート材、合成樹脂製シート材、紙製シートと合成樹脂シートとの積層シート材等が挙げられる。なかでも、加工性、衝撃吸収性、取扱性、リサイクル性、経済性等の点から紙製のシート材が好ましく、段ボールシートが特に好ましい。
【００２７】
上記段ボールシートとしては、特に限定されず、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂を更に貼り合わせた複々両面段ボールシート等が挙げられる。これらの段ボールシートのなかでも、加工性、経済性、反発性等の点から複両面段ボールシートが好ましい。
【００２８】
一対の第一折り曲げ容易線１３（１３ａ、１３ｂ）は、当該頸部固定仕切り用シート１１の前後方向の中央位置に形成される。第一折り曲げ容易線１３ａは、当該頸部固定仕切り用シート１１の右端から左方向に形成され、第一折り曲げ容易線１３ｂは、当該頸部固定仕切り用シート１１の左端から右方向に形成される。一対の第一折り曲げ容易線１３（１３ａ、１３ｂ）は、山折り容易線として形成される。
【００２９】
切断線１４は、第一折り曲げ容易線１３ａの左端から第一折り曲げ容易線１３ｂの右端にかけて形成される。仕切板１２ａは、切断線１４によって中央領域１７ａの内縁が形成される。仕切板１２ｂは、切断線１４によって中央領域１９ａの内縁が形成される。また、一対の仕切板１２（１２ａ、１２ｂ）は、切断線１４によって、右領域１６のうち、中央領域１９ａの前後方向に存在する領域、及び左領域２０のうち、中央領域１７ａの前後方向に存在する領域の内縁が形成される。
【００３０】
第一折り曲げ容易線１３（１３ａ又は１３ｂ）の長さの切断線１４の長さに対する長さ比の下限としては、０．３が好ましく、０．４がより好ましく、０．５がさらに好ましい。また、第一折り曲げ容易線１３（１３ａ又は１３ｂ）の長さの切断線１４の長さに対する長さ比の上限としては、０．７が好ましく、０．６がより好ましく、０．５がさらに好ましい。第一折り曲げ容易線１３（１３ａ又は１３ｂ）の長さの切断線１４の長さに対する長さ比が上記下限未満の場合、容器の頸部を十分に固定できないおそれがある。逆に、第一折り曲げ容易線１３（１３ａ又は１３ｂ）の長さの切断線１４の長さに対する長さ比が上記上限を超える場合、容器の頸部に的確に装着できないおそれがある。
【００３１】
第二折り曲げ容易線１５（１５ａ、１５ｂ）は、切断線１４の左右方向の中心位置から前後方向に形成される。第二折り曲げ容易線１５（１５ａ、１５ｂ）は、一対の第一折り曲げ容易線１３（１３ａ、１３ｂ）に対して略垂直に形成される。第二折り曲げ容易線１５（１５ａ、１５ｂ）は、山折り容易線として形成される。
【００３２】
第三折り曲げ容易線１８は、切断線１４の左端から仕切板１２ａの外縁にかけて形成される。第三折り曲げ容易線１８は、一対の第一折り曲げ容易線１３（１３ａ、１３ｂ）に対して略垂直に形成される。第三折り曲げ容易線１８は谷折り容易線として形成される。
【００３３】
第四折り曲げ容易線２１は、切断線１４の右端から仕切板１２ｂの外縁にかけて形成される。第四折り曲げ容易線２１は、一対の第一折り曲げ容易線１３（１３ａ、１３ｂ）に対して略垂直に形成される。第四折り曲げ容易線２１は谷折り容易線として形成される。
【００３４】
中央領域１７ａ及び中央領域１９ａは、外縁に凹部２２ａを有する。また、右領域１６は、切断線１４を介して中央領域１９ａの外縁と対向する外縁に凹部２２ｂを有する。さらに、左領域２０は、切断線１４を介して中央領域１７ａの外縁と対向する外縁に凹部２２ｂを有する。
【００３５】
凹部２２（２２ａ、２２ｂ）は、左右方向の中央部分が前後方向の中央に近接されるように形成されている。凹部２２（２２ａ、２２ｂ）の中心は、この凹部２２（２２ａ、２２ｂ）が形成される外縁の中点と一致するように形成されている。
【００３６】
凹部２２（２２ａ、２２ｂ）の幅のこの凹部２２（２２ａ、２２ｂ）が形成される外縁の幅に対する幅比の下限としては、０．５が好ましく、０．７がより好ましく、０．９がさらに好ましく、１が特に好ましい。凹部１２（１２ａ、１２ｂ）の幅のこの凹部２２（２２ａ、２２ｂ）が形成される外縁の幅に対する幅比が上記下限未満の場合、容器の頸部を好適に固定できないおそれがある。なお、凹部２２（２２ａ、２２ｂ）の幅のこの凹部２２（２２ａ、２２ｂ）が形成される外縁の幅に対する幅比の上限は１とすることができる。
【００３７】
凹部２２（２２ａ、２２ｂ）の形状としては、左右方向の中央部分が前後方向の中央に近接されるように形成されている限り特に限定されず、例えば円弧状、Ｕ字状、Ｖ字状等が挙げられる。なかでも、凹部２２（２２ａ、２２ｂ）は、円弧状に（円弧状部位として）形成されるのが好ましい。当該頸部固定仕切り用シート１１は、このような円弧状部位を有することによって、円弧状部位を容器の肩部に当接させることで、梱包材内の容器をさらに的確に固定することができる。また特に、当該頸部固定仕切り用シート１１は、上記円弧状部位が、一対の仕切板１２（１２ａ、１２ｂ）の中央領域１７ａ及び中央領域１９ａ、並びに切断線１４を介して中央領域１７ａ及び中央領域１９ａの前後に位置する領域の外縁の左右方向全域に亘って形成されることによって、これらの円弧状部位を容器の肩部に好適に嵌合することができ、容器の上下方向及び左右方向の揺動をさらに的確に防止することができる。
【００３８】
（頸部固定仕切り）
図３の頸部固定仕切り１は、頸部固定仕切り用シート１１から組立てられる。具体的には、頸部固定仕切り１は、前後一対の仕切板１２（１２ａ、１２ｂ）を一対の第一折り曲げ容易線１３（１３ａ、１３ｂ）で山折りに折り返して重ね合わせ、さらに第二折り曲げ容易線１５を山折りにし、第三折り曲げ容易線１８及び第四折り曲げ容易線２１を谷折りにすることで組立てられる。頸部固定仕切り１は、このように組立てられることによって、仕切板１２ａの中央領域１７ａ、仕切板１２ｂの中央領域１９ａ、仕切板１２ａの右領域１６の左側部分、及び仕切板１２ｂの左領域２０の右側部分によって、中央に第二折り曲げ容易線１５、第三折り曲げ容易線１８及び第四折り曲げ容易線２１を各側辺とする角筒状部２３が形成される。また、この頸部固定仕切り１には、重ね合わされた仕切板１２ａの最左端領域１７ｂと仕切板１２ｂの左領域２０の左側部分とによって、角筒状部２３の一側辺から突出する一の突出部分２４ｂが形成され、さらに重ね合わされた仕切板１２ｂの最右端領域１９ｂと仕切板１２ａの右領域１６の右側部分とによって、突出部分２４ｂの突出する一側辺に対向する角筒状部２３の他側辺から突出する突出部分２４ａが形成される。つまりは、上述のように組立てられた頸部固定仕切り１は、中央の角筒状部２３と、この角筒状部２３の対向する側辺から突出する一対の突出部分２４（２４ａ、２４ｂ）とを有する。
【００３９】
頸部固定仕切り１は、頸部固定仕切り用シート１１が例えば段ボールシートのように一定の強度を有するシート材から形成される場合、一対の突出部分２４（２４ａ、２４ｂ）の伸縮に合わせて角筒状部２３の開口形状を適度に変形可能に構成される。頸部固定仕切り１は、枠体２の容器収容部に収納される。
【００４０】
（枠体用シート）
図４の枠体用シート３１は、背面板３２と、一対の側面板３３（３３ａ、３３ｂ）と、一対の前面板３４（３４ａ、３４ｂ）と、一対の中板３５（３５ａ、３５ｂ）と、底板３６とを備える。背面板３２は、略中央に係止孔３７を有する。一対の側面板３３（３３ａ、３３ｂ）は、上部中央に開口を有する。この開口は、運搬時等に取っ手として用いられる。一対の中板３５（３５ａ、３５ｂ）は、側縁の略中央に係止突起３８（３８ａ、３８ｂ）を有する。
【００４１】
一対の側面板３３（３３ａ、３３ｂ）、一対の前面板３４（３４ａ、３４ｂ）及び一対の中板３５（３５ａ、３５ｂ）の幅は略同一とされている。また、背面板３２の幅は、前面板３４の幅の略２倍とされている。
【００４２】
枠体用シート３１に用いられるシート材としては、枠体用シート３１から組立てられる枠体２の形状を維持できる程度の強度を有する限り特に限定されない。枠体用シート３１に用いられるシート材としては、頸部固定仕切り用シート１１に用いられるシート材と同様のものが挙げられる。
【００４３】
（枠体）
図５の枠体２は、枠体用シート３１から組立てられる。具体的には、枠体２は、一対の側面板３３（３３ａ、３３ｂ）を対向させように折り曲げ、一対の前面板３４（３４ａ、３４ｂ）を背面板３２と対向するように折り曲げ、さらに一対の中板３５（３５ａ、３５ｂ）を内側に折り込んで一対の係止突起３８（３８ａ、３８ｂ）を係止孔３７に挿入し、底板３６を内側に折り曲げることで組立てられる。
【００４４】
枠体２は、背面板３２、側面板３３ａ、前面板３４ａ及び中板３５ａを側壁とし、底板３６を底壁とする有底四角筒状の容器収容部３９ａと、背面板３２、側面板３３ｂ、前面板３４ｂ及び中板３５ｂを側壁とし、底板３６を底壁とする有底四角筒状の容器収容部３９ｂとを有する。一対の容器収容部３９（３９ａ、３９ｂ）の開口は、略正方形状に形成される。
【００４５】
一対の容器収容部３９（３９ａ、３９ｂ）の対向する隅部間の長さの頸部固定仕切り用シート１１の左右方向長さに対する長さ比の下限としては、０．５が好ましく０．６がより好ましく、０．７がさらに好ましい。また、一対の容器収容部３９（３９ａ、３９ｂ）の対向する隅部間の長さの頸部固定仕切り用シート１１の左右方向長さに対する長さ比の上限としては、０．８５が好ましく、０．８２がより好ましく、０．８がさらに好ましい。一対の容器収容部３９（３９ａ、３９ｂ）の対向する隅部間の長さの頸部固定仕切り用シート１１の左右方向長さに対する長さ比が上記範囲外であると、容器収容部３９（３９ａ、３９ｂ）内に頸部固定仕切り１を好適に配設できないおそれがある。
【００４６】
（外箱）
外箱３は、枠体２の外側を覆うように形成される。外箱３は、一般的には段ボールシートから組立てられる。外箱３の内面と枠体２の外面とは互いに接するように配設される。
【００４７】
＜利点＞
当該頸部固定仕切り用シート１１は、前後一対の仕切板１２（１２ａ、１２ｂ）が一対の第一折り曲げ容易線１３（１３ａ、１３ｂ）で折り返されて重ね合わされたうえ、第二折り曲げ容易線１５で山折りに折られ、第三折り曲げ容易線１８及び第四折り曲げ容易線２１で谷折りに折られることで、頸部固定仕切り１に組立てられる。当該頸部固定仕切り用シート１１から組立てられる頸部固定仕切り１は、角筒状部２３内に容器の頸部を挿入することによって、梱包材内においてこの容器の頸部を固定することができる。また、当該頸部固定仕切り用シート１１は、一枚のシートからなるものであり、製造及び組立てが容易で作業性に優れるとともに、省資源化を促進することができる。
【００４８】
また、当該頸部固定仕切り用シート１１から組立てられる頸部固定仕切り１は、当該頸部固定仕切り用シート１１が段ボールシート等からなり、一定の強度を有する場合、外部から一定以上の衝撃が加えられた場合であっても、この衝撃に対応して一対の突出部分２４（２４ａ、２４ｂ）が伸縮され、かつ角筒状部２３が一対の突出部分２４（２４ａ、２４ｂ）の伸縮に対応して適度に変形可能なため、この衝撃を好適に緩和することができ、優れた緩衝機能を有する。それゆえ、当該頸部固定仕切り用シート１１は、容器の割れや破損を好適に防止することができる。
【００４９】
当該頸部固定仕切り用シート１１は、第二折り曲げ容易線１５が切断線１４の中心から形成され、第三折り曲げ容易線１８が切断線１４の左端から形成され、第四折り曲げ容易線２１が切断線１４の右端から形成されることによって、角筒状部２３の開口を正四角形状に形成することができ、ひいては外部からの衝撃に対応してこの角筒状部２３の形状を好適に変形させて緩衝機能を向上することができる。
【００５０】
当該頸部固定仕切り用シート１１は、中央領域１７ａ、中央領域１９ａ並びに中央領域１７ａ及び中央領域１９ａの前後方向に存在する領域の外縁が凹部２２（２２ａ、２２ｂ）を有するので、凹部２２（２２ａ、２２ｂ）を容器の肩部に当接させることにより、梱包材内の容器をさらに的確に固定することができる。
【００５１】
当該梱包ユニットは、当該頸部固定仕切り用シート１１から組立てられる頸部固定仕切り１が、中央の角筒状部２３と、この角筒状部２３の対向する側辺から突出する一対の突出部分２４（２４ａ、２４ｂ）とを有する。このため、当該梱包ユニットは、この頸部固定仕切り１の角筒状部２３内に容器の頸部を挿入することによって、梱包材内においてこの容器の頸部を固定することができる。また、当該梱包ユニットは、当該頸部固定仕切り用シート１１が一枚のシートからなるものであるため、頸部固定仕切り１の製造及び組立てが容易で作業性に優れるとともに、省資源化を促進することができる。
【００５２】
［その他の実施形態］
なお、本考案の頸部固定仕切り用シート及び梱包ユニットは、上記態様の他、種々の変更、改良を施した態様で実施することができる。例えば、当該頸部固定仕切り用シートは、必ずしも凹部を有していなくてもよい。当該頸部固定仕切り用シートは、凹部を有しない場合であっても、当該頸部固定仕切り用シートから組立てられる頸部固定仕切りの角筒状部内に容器の頸部を挿入することによって、梱包材内においてこの容器の頸部を固定することができる。また、当該頸部固定仕切り用シートは、凹部を有する場合、これらの凹部は一対の中央領域及びこれら一対の中央領域の前後方向に存在する領域の内縁に形成されていてもよい。ただし、凹部の製造容易性等の点から、これらの凹部は一対の仕切板の中央領域及びこの一対の仕切板の中央領域の前後に位置する領域の外縁に形成される方が好ましい。当該頸部固定仕切り用シートは、必ずしも第三折り曲げ容易線が切断線の左端から形成されていなくてもよく、また第四折り曲げ容易線が切断線の右端から形成されていなくてもよい。当該頸部固定仕切り用シートは、第三折り曲げ容易線が一方の仕切板の左領域から形成され、第四折り曲げ容易線が他方の仕切板の右領域から形成される限り、第二折り曲げ容易線、第三折り曲げ容易線及び第四折り曲げ容易線を各側辺とする角筒状部を形成することができ、この角筒状部内に容器の頸部を挿入することで、この容器を固定することができる。当該頸部固定仕切り用シートは、一方の仕切板と他方の仕切り板とで第二折り曲げ容易線の左右方向の形成位置が異なっていてもよい。
【００５３】
当該梱包ユニットは、必ずしも枠体と外箱とを共に備える必要はない。当該梱包ユニットは、例えば外箱を容器の形状に合わせて形成し、この外箱を枠体兼用外箱として用いてもよい。また、当該梱包ユニットに収容される容器としては、胴部の上部から突出される頸部を有するものであればよく、瓶の他、プラスチック製容器、金属製容器等であってもよい。
【産業上の利用可能性】
【００５４】
以上のように、本考案の頸部固定仕切り用シート及び梱包ユニットは、組立てが容易で作業性に優れるとともに、省資源化を促進することができ、段ボール等から形成される梱包材として好適に用いられる。
【符号の説明】
【００５５】
１  頸部固定仕切り
２  枠体
３  外箱
１１  頸部固定仕切り用シート
１２  仕切板
１３  第一折り曲げ容易線
１４  切断線
１５  第二折り曲げ容易線
１６  右領域
１７  左領域
１７ａ  中央領域
１７ｂ  最左端領域
１８  第三折り曲げ容易線
１９  右領域
１９ａ  中央領域
１９ｂ  最右端領域
２０  左領域
２１  第四折り曲げ容易線
２２  凹部
２３  角筒状部
２４  突出部分
３１  枠体用シート
３２  背面板
３３  側面板
３４  前面板
３５  中板
３６  底板
３７  係止孔
３８  係止突起
３９  容器収容部
【図１】
0003188773.tif 000003
【図２】
0003188773.tif 000004
【図３】
0003188773.tif 000005
【図４】
0003188773.tif 000006
【図５】
0003188773.tif 000007